(57)【特許請求の範囲】
【請求項１】
上部が開放された中庭と、前記中庭の北側に配置される北側部屋と、前記中庭の南側に配置される南側部屋と、を備える建物において、
前記中庭は、下部に設けられる床と、この床の上方に設けられ歩行面を形成する床材と、を有しており、
前記北側部屋は、この北側部屋の上部の屋根と、下部の床と、前記中庭に面する外壁と、この外壁に設けられる採光窓と、を有しており、
前記南側部屋は、この南側部屋の上部の屋根であり、前記中庭側が高く前記中庭と反対側が低い片流れ造りの屋根と、下部の床と、前記中庭に面する外壁と、この外壁に設けられる採光窓と、を有しており、
前記北側部屋の屋根の高さ位置は、前記南側部屋の屋根の高さ位置よりも高く設定されており、
前記南側部屋の床の高さ位置は、前記中庭の床の高さ位置よりも低く設定されているとともに、
前記北側部屋の床の高さ位置は、前記中庭の床の高さ位置よりも高く設定され、前記北側部屋の下方に下階部屋が設けられており、
前記下階部屋は、前記北側部屋の床の直下に位置する天井と、前記中庭に面する外壁と、この外壁に設けられる採光窓と、を有しており、
前記北側部屋の採光窓は外壁の上部に設けられ、
前記下階部屋の採光窓は外壁のうち、前記天井よりも低く、前記中庭の床材よりも高い位置に、設けられ、
前記南側部屋の採光窓は外壁の下部に設けられており、
前記北側部屋の外壁には、太陽光を前記南側部屋に向かって反射させる反射手段が設けられていることを特徴とする建物。
【請求項２】
請求項１に記載の建物において、
前記反射手段は太陽電池モジュールであることを特徴とする建物。
【請求項３】
請求項１に記載の建物において、
前記北側部屋の外壁には、前記反射手段を介して、シースルー型太陽電池モジュールが設けられていることを特徴とする建物。
【発明の詳細な説明】
【技術分野】
【０００１】
本発明は、住宅等の建物に関する。
【背景技術】
【０００２】
住宅等の建物において、北側に配置された部屋には太陽光が届きにくく、日中の明るさや、冬期における日中の温度等の面で、南側に配置された部屋よりも良好な居住環境を形成しにくい。そこで、南側に配置されたバルコニーの床部や建物上階の南側の床部等を、光透過性を有する部材で構成することによって、比較的低い入射角を持った太陽光を、北側に配置された部屋に差し込ませる技術が開発されている（例えば、特許文献１参照）。
このような建物の場合、南側に配置された部屋の採光性は極めて良好であることは言うまでもなく、北側に配置された部屋の採光性も向上できるので、建物全体を明るくすることができ、良好な居住環境を形成できる。
【先行技術文献】
【特許文献】
【０００３】
【特許文献１】特開２０１０−２８１０９３号公報
【発明の概要】
【発明が解決しようとする課題】
【０００４】
しかしながら、上述の建物のように、空から降り注ぐ太陽光を直接的に建物内に差し込ませる場合には、例えば隣家との間隔が狭い時に、低層階への採光が困難となる場合がある。すなわち、たとえ南側に配置された部屋であっても、この部屋が低層階であれば太陽光が差し込みにくい場合がある。
そこで、北側に配置された部屋の採光性を向上させつつ、南側に配置された低層階の部屋の採光性も向上させることが可能な技術の開発が望まれていた。
【０００５】
本発明の課題は、太陽光を、北側に配置された部屋と、南側に配置された低層階の部屋の双方に差し込ませ、これら双方の部屋の居住環境を良好にすることが可能な建物を提供することを目的とする。
【課題を解決するための手段】
【０００６】
請求項１に記載の発明は、例えば図４に示すように、上部が開放された中庭３２と、前記中庭３２の北側に配置される北側部屋３３と、前記中庭３２の南側に配置される南側部屋３４と、を備える建物３１において、
前記中庭３２は、下部に設けられる床３２ａと、この床３２ａの上方に設けられ歩行面を形成する床材３２ｂと、を有しており、
前記北側部屋３３は、この北側部屋３３の上部の屋根３３ａと、下部の床３３ｂと、前記中庭３２に面する外壁３３ｃと、この外壁３３ｃに設けられる採光窓３３ｄと、を有しており、
前記南側部屋３４は、この南側部屋３４の上部の屋根３４ａであり、前記中庭３２側が高く前記中庭３２と反対側が低い片流れ造りの屋根３４ａと、下部の床３４ｂと、前記中庭３２に面する外壁３４ｃと、この外壁３４ｃに設けられる採光窓３４ｄと、を有しており、
前記北側部屋３３の屋根３３ａの高さ位置は、前記南側部屋３４の屋根３４ａの高さ位置よりも高く設定されており、
前記南側部屋３４の床３４ｂの高さ位置は、前記中庭３２の床３２ａの高さ位置よりも低く設定されているとともに、
前記北側部屋３３の床３３ｂの高さ位置は、前記中庭３２の床３２ａの高さ位置よりも高く設定され、前記北側部屋３３の下方に下階部屋３５が設けられており、
前記下階部屋３５は、前記北側部屋３３の床３３ｂの直下に位置する天井３５ａと、前記中庭３２に面する外壁３５ｂと、この外壁３５ｂに設けられる採光窓３５ｃと、を有しており、
前記北側部屋３３の採光窓３３ｄは外壁３３ｃの上部に設けられ、
前記下階部屋３５の採光窓３５ｃは外壁３５ｂのうち、前記天井３５ａよりも低く、前記中庭３２の床材３２ｂよりも高い位置に、設けられ、
前記南側部屋３４の採光窓３４ｄは外壁３４ｃの下部に設けられており、
前記北側部屋３３の外壁３３ｃには、太陽光を前記南側部屋３４に向かって反射させる反射手段３７が設けられていることを特徴とする。
【０００７】
請求項１に記載の発明によれば、前記北側部屋３３の外壁３３ｃおよび採光窓３３ｄは南向きに設けられ、前記南側部屋３４の外壁３４ｃおよび採光窓３４ｄは北向きに設けられることになる。また、前記北側部屋３３の屋根３３ａおよび外壁３３ｃは、前記南側部屋３４に対して高い位置に配置され、前記南側部屋３４は、前記北側部屋３３および中庭３２に対して低い位置に配置されることになる。したがって、南の空を通過する太陽の光を、前記南側部屋３４の屋根３４ａに妨げられることなく、前記北側部屋３３の採光窓３３ｄから、この北側部屋３３の内部に差し込ませることができる。さらに、太陽光は、前記南側部屋３４の屋根３４ａに妨げられることなく、前記北側部屋３３の外壁３３ｃまで届きやすくなるので、この外壁３３ｃに反射する太陽光を、前記南側部屋３４の採光窓３４ｄから、この南側部屋３４の内部に差し込ませることができる。
また、前記南側部屋３４の床３４ｂの高さ位置は、前記中庭３２の床３２ａの高さ位置よりも低く設定されているため、前記中庭３２に面する前記南側部屋３４の外壁３４ｃおよび採光窓３４ｄは、この南側部屋３４の中では比較的高い位置に設けられることになる。したがって、前記北側部屋３３の外壁３３ｃに反射する太陽光は、前記南側部屋３４の、例えば天井付近等の高い位置に差し込むことになるので、前記南側部屋３４全体を効果的に明るくすることができる。
これによって、前記北側部屋３３の採光性を向上させつつ、前記南側部屋３４の採光性も向上させることができるので、日中の明るさや、冬期における日中の室温の面で、これら北側部屋３３および南側部屋３４の双方の部屋の居住環境を良好にすることが可能となる。
【０００９】
また、前記南側部屋３４の屋根３４ａは片流れ造りとされているので、前記北側部屋３３の外壁３３ｃに反射する太陽光を、前記南側部屋３４の屋根３４ａの軒先等に妨げられることなく、前記南側部屋３４の内部にスムーズかつ確実に差し込ませることができる。
【００１１】
さらに、前記下階部屋３５の外壁３５ｂおよび採光窓３５ｃは、前記北側部屋３３の床３３ｂと前記中庭３２の床３２ａとの段差を利用して設けられているので、これら下階部屋３５の外壁３５ｂおよび採光窓３５ｃは、この下階部屋３５の中では比較的高い位置に設けられることになる。したがって、前記中庭３２に差し込む太陽光は、前記下階部屋３５の、例えば天井３５ａ付近等の高い位置に差し込むことになるので、前記下階部屋３５全体を効果的に明るくすることができる。
【００１３】
加えて、前記北側部屋３３の外壁３３ｃには、太陽光を前記南側部屋３４に向かって反射させる反射手段３７が設けられているので、例えば前記反射手段３７を設けない場合に比して、太陽光を、前記南側部屋３４の内部に確実かつ、より多く差し込ませることができる。
【００１４】
請求項２に記載の発明は、例えば図４に示すように、請求項１に記載の建物３１において、
前記反射手段３７は太陽電池モジュールであることを特徴とする。
【００１５】
請求項２に記載の発明によれば、前記反射手段３７である太陽電池モジュールによって発電しながら、太陽光を反射させて、前記南側部屋３４の内部に差し込ませることができるので、利便性が高い。
【００１６】
請求項３に記載の発明は、例えば図４に示すように、請求項１に記載の建物３１において、
前記北側部屋３３の外壁３３ｃには、前記反射手段３７を介して、シースルー型太陽電池モジュールが設けられていることを特徴とする。
【００１７】
請求項３に記載の発明によれば、前記シースルー型太陽電池モジュールによって発電しながら、このシースルー型太陽電池モジュールを通過する太陽光を前記反射手段３７によって反射させて、前記南側部屋３４の内部に差し込ませることができるので、利便性が高い。
【発明の効果】
【００１８】
本発明によれば、北側部屋および下階部屋の外壁、採光窓は南向きに設けられ、南側部屋の外壁および採光窓は北向きに設けられることになる。また、北側部屋の屋根および外壁は、南側部屋よりも高い位置に配置され、南側部屋は、北側部屋および中庭よりも低い位置に配置されることになる。したがって、南の空を通過する太陽の光を、南側部屋の屋根に妨げられることなく、北側部屋および下階部屋の採光窓から、この北側部屋および下階部屋の内部に差し込ませることができる。さらに、太陽光は、南側部屋の屋根に妨げられることなく、北側部屋の外壁まで届きやすくなるので、この外壁に反射する太陽光を、南側部屋の採光窓から、この南側部屋の内部に差し込ませることができる。
また、南側部屋の床の高さ位置は、中庭の床の高さ位置よりも低く設定されているため、南側部屋の外壁および採光窓は、この南側部屋の中では比較的高い位置に設けられることになる。したがって、北側部屋の外壁に反射する太陽光は、南側部屋の、例えば天井付近等の高い位置に差し込むことになるので、南側部屋全体を効果的に明るくすることができる。
これによって、北側部屋および下階部屋の採光性を向上させつつ、南側部屋の採光性も向上させることができるので、日中の明るさや、冬期における日中の室温の面で、これら北側部屋および下階部屋、南側部屋の三つの部屋の居住環境を良好にすることが可能となる。
【図面の簡単な説明】
【００１９】
【図１】本発明に係る建物を説明するために建物の参考例を示す縦断面図である。
【図２】図１の建物の一階部分を示す平断面図である。
【図３】図１の建物の中間階および二階部分を示す平断面図である。
【図４】本発明に係る建物の一例を示す縦断面図である。
【発明を実施するための形態】
【００２０】
以下、図面を参照して本発明の実施の形態について説明する。
なお、図１〜図４において、左側は北の方角とされており、右側が南の方角とされている。
【００２１】
＜参考例＞
図１〜図３において符号１は、建物を示す。この建物１は、建物１の一階に該当する第一層１ａと、この第一層１ａよりも半階高い位置に設けられる第二層１ｂと、この第二層１ｂよりも半階高い位置に設けられ、建物１の二階に該当する第三層１ｃとからなる二階建て三層構造のスキップフロア型住宅とされている。また、この建物１の上部には屋根が設けられている。
【００２２】
また、建物１は、第三層１ｃに、上部が開放された中庭２と、前記中庭２の北側に配置される北側部屋３とを備えており、第二層１ｂに、前記中庭２の南側に配置される南側部屋４を備えている。
なお、本参考例の建物１は、いわゆる二世帯住宅とされており、第一層１ａに、２つの玄関６，１４が設けられている。
【００２３】
まず、前記第一層１ａの間取りについて説明する。
図２に示すように、前記玄関６は、第一層１ａの北側に配置されており、前記玄関１４は、第一層１ａの南側に配置されている。さらに、これら玄関６，１４間には、第一層１ａを南北に貫く廊下７が設けられている。
なお、前記玄関６は、建物１に居住する二世帯のうち、子世帯が主に利用する玄関とされており、前記玄関１４は、親世帯が主に利用する玄関とされている。
【００２４】
前記玄関６の東側には浴室８が設けられている。また、この浴室８と並んで洗面所９とトイレ１０とが設けられている。
前記玄関６の西側には略同様の構成の２つの部屋１１，１２が並設されている。
また、前記廊下７の中程には、第一層１ａと第三層１ｃとを連絡する階段１３が設けられている。この階段１３は折返し階段とされている。
【００２５】
前記玄関１４の東側には、玄関収納となるクローゼット１５が設けられている。また、このクローゼット１５の北側にはトイレ１６が設けられている。
また、前記玄関１４の西側には、収納室１７が設けられている。この収納室１７は、図１に示すように、第一層１ａの床と第二層１ｂの床４ｂとの間に設けられており、その天井高は、０．９ｍ〜１．４ｍに設定されている。
さらに、この収納室１７の北側には部屋１８が設けられており、これら収納室１７と部屋１８との間には戸が設けられた出入り口１７ａが形成されている。
また、前記廊下７の南側端部には、第一層１ａと第二層１ｂとを連絡する階段１９が設けられている。この階段１９は、段数が少ないため、直階段とされている。
【００２６】
続いて、前記第二層１ｂおよび第三層１ｃの間取りについて説明する。
図３に示すように、前記第二層１ｂには、前記階段１９の上った位置に前記南側部屋４が設けられている。この南側部屋４は、親世帯が主に利用し、リビングルームとダイニングルームとキッチンルームの機能を一室に併存させた部屋とされている。
【００２７】
前記第三層１ｃのうち、前記階段１３を上った位置には、ダイニングルーム２０が設けられている。また、このダイニングルーム２０の北側には、カウンター付き流し台を介してキッチンルーム２１が設けられている。また、このダイニングルーム２０の東側にはトイレ２２が設けられている。
このキッチンルーム２１の北側には収納部２１ａが設けられており、このキッチンルーム２１の北側外壁には窓２１ｂが設けられている。
また、ダイニングルーム２０およびキッチンルーム２１の西側には前記北側部屋３が設けられている。この北側部屋３は、子世帯が主に利用するリビングルームとされている。
【００２８】
また、前記ダイニングルーム２０の南側で、前記階段１３の脇には廊下２３が設けられている。そして、この廊下２３と、前記北側部屋３と、前記南側部屋４とによって囲まれた位置に、前記中庭２が設けられている。また、廊下２３は、前記中庭２に面する外壁に設けられた窓２３ａを有する。この窓２３ａは開閉自在に構成されており、採光だけでなく、通風も可能となっている。
また、前記廊下２３の南側には、クローゼット２４ａを有する部屋２４が設けられている。この部屋２４は、子世帯が主に利用する部屋であり、前記南側部屋４と隣接していながら、この南側部屋４とは間仕切り壁によって直接的な行き来ができないように仕切られている。
【００２９】
前記第二層１ｂおよび第三層１ｃの上部には、前記屋根が設けられている。この屋根は、建物１の北側に設けられる屋根と、南側に設けられる屋根とを組み合わせて形成されている。
北側の屋根は、平面視矩形状に形成され、前記中庭２側が高く、前記中庭２と反対側が低い片流れ造りとされている。また、この北側の屋根は、図１および図３に示すように、前記北側部屋３と、前記ダイニングルーム２０と、前記キッチンルーム２１の上部に配置されている。
南側の屋根は、平面視略Ｌ字状に形成され、前記中庭２側が高く、前記中庭２と反対側が低い片流れ造りとされている。また、この南側の屋根は、前記南側部屋４と、前記階段１３と、前記廊下２３と、前記部屋２４の上部に配置されている。
また、前記北側の屋根の中庭側端部は、前記南側の屋根の中庭側端部よりも高い位置に設けられている。また、前記南側の屋根の中庭側端部は、前記ダイニングルーム２０の南側外壁に固定されている。
なお、前記南側の屋根の屋根面には、一面に、太陽電池モジュールが設置されている。
【００３０】
続いて、前記中庭２について説明する。
前記中庭２は、図１および図３に示すように、上部が上空に向かって開放されており、さらに、西側が外部に向かって開放された凹部として形成されている。したがって、第三層１ｃおよび第二層１ｂを含む建物１の二階部分は、平面視略凹型に形成されている。
【００３１】
また、この中庭２は、下部に設けられる床２ａを有する。床２ａは、建物１の第三層１ｃを構成する床そのものであり、この床２ａの上方には、中庭２の歩行面を形成する床材２ｂが設けられている。なお、この床材２ｂと前記床２ａとの間には隙間が形成されており、この隙間には、図示はしないが、排水システムや、植物を中庭２で栽培するための栽培システム等が設置される。
また、この中庭２の床２ａの西側端部には、図３に示すように、手摺り２ｃが立設されている。
【００３２】
続いて、前記北側部屋３について説明する。
前記北側部屋３は、図１および図３に示すように、この北側部屋３の上部の屋根３ａと、下部の床３ｂと、前記中庭２に面する外壁３ｃと、この外壁３ｃに設けられる採光窓３ｄと、を有する。
【００３３】
前記屋根３ａは、前記北側の屋根のうち、特に前記北側部屋３の上部に位置する部位を指している。本参考例において北側の屋根は、上述のように平面視矩形状に形成され、前記中庭２側が高い片流れ造りとされているため、この北側部屋３の上部に設けられる屋根３ａも、前記中庭２側が高い片流れ造りとされている。
また、この屋根３ａの高さ位置は、後述する南側部屋４の屋根４ａの高さ位置よりも高く設定されている。
【００３４】
前記床３ｂは、建物１の第三層１ｃを構成する床そのものであり、図１に示すように、前記中庭の床２ａと一体に形成されている。
そして、この北側部屋３の床３ｂの高さと、前記中庭２の床２ａの高さとは等しく、面一になるように設定されている。
【００３５】
前記外壁３ｃは、前記中庭２に面しており、前記床３ｂから前記屋根３ａまでの高さに設定されている。また、この外壁３ｃは、前記ダイニングルーム２０の南側外壁と一体に形成されている。
また、この外壁３ｃの下部に、前記採光窓３ｄが設けられている。この採光窓３ｄとしては、ガラス等の透光性を有する材料が用いられている。また、本参考例の採光窓３ｄは、開閉自在に構成されており、採光だけでなく、通風も可能となっている。
【００３６】
また、前記北側部屋３は、図１および図３に示すように、天井３ｅと、天窓３ｆと、収納部３ｇと、窓３ｈと、を有する。
前記天井３ｅは、前記屋根３ａ直下に設けられている。
前記天窓３ｆは、前記屋根３ａに形成されており、この屋根３ａのうち、前記天井３ｅが設けられていない部位に配置されている。また、この天窓は、開閉自在に構成されており、採光および通風が可能となっている。
前記収納部３ｇは、前記北側部屋３の北側に設けられており、この収納部３ｇの上方に位置する北側外壁に、前記窓３ｈが設けられている。この窓３ｈは、開閉自在に構成されており、採光および通風が可能となっている。
なお、この窓３ｈは、前記採光窓３ｄと対向するように配置されている。すなわち、この窓３ｈが設けられる北側部屋３の北側外壁と、前記採光窓３ｄが設けられる外壁３ｃとが対向して配置されている。
【００３７】
また、前記外壁３ｃの上部には、図１に示すように、太陽光を前記南側部屋４に向かって反射させる反射手段５が設けられている。
本参考例の反射手段５は、光を反射しやすい性質を有するとともに前記外壁３ｃの表面を化粧する外壁材とされている。この反射手段５である外壁材は、白色等の光を反射しやすい色や、光沢のある表面加工に設定されており、太陽光を効果的に反射させることができるようになっている。すなわち、このような反射手段５を設けることにより、例えばこの反射手段５を設けない場合に比して、太陽光を、前記南側部屋４の内部に確実かつ、より多く差し込ませることができる。
【００３８】
なお、本参考例の反射手段５は外壁材としたが、これに限られるものではなく、例えば、光を反射しやすい性質を有するとともに前記外壁３ｃの表面を化粧する外壁塗装材でも良い。
その他、図示はしないが、前記反射手段５を太陽電池モジュールとしてもよい。これによって、太陽電池モジュールによって発電しながら、太陽光を反射させて、前記南側部屋４の内部に差し込ませることができるので、利便性が高い。
また、前記反射手段５として前記外壁材や外壁塗装材のように、外壁３ｃを形成するための建築材料を用いる場合には、これら外壁材や外壁塗装材等の建築材料からなる反射手段５を介して、シースルー型太陽電池モジュールを、前記外壁３ｃに設けるようにしてもよい。すなわち、シースルー型太陽電池モジュールの裏側に反射手段５が設けられた状態である。これによって、前記シースルー型太陽電池モジュールによって発電しながら、このシースルー型太陽電池モジュールを通過する太陽光を前記反射手段５によって反射させて、前記南側部屋４の内部に差し込ませることができるので、利便性が高い。
【００３９】
続いて、前記南側部屋４について説明する。
前記南側部屋４は、図１および図３に示すように、この南側部屋４の上部の屋根４ａと、下部の床４ｂと、前記中庭２に面する外壁４ｃと、この外壁４ｃに設けられる採光窓４ｄと、を有する。
【００４０】
前記屋根４ａは、前記南側の屋根のうち、特に前記南側部屋４の上部に位置する部位を指している。本参考例において南側の屋根は、上述のように平面視略Ｌ字状に形成され、前記中庭２側が高い片流れ造りとされているため、この南側部屋４の上部に設けられる屋根４ａも、前記中庭２側が高い片流れ造りとされている。
また、この屋根４ａの高さ位置は、前記北側部屋３の屋根３ａの高さ位置よりも低く設定されている。
【００４１】
前記床４ｂは、建物１の第二層１ｂを構成する床そのものであり、前記第一層１ａの床の上方に設けられている。
すなわち、前記第二層１ｂは、上述のように、前記第一層１ａよりも半階高い位置に設けられているため、前記床４ｂも、前記第一層１ａの床よりも半階高い位置に設けられている。より詳細には、この床４ｂは、前記第一層１ａの床よりも、上述の０．９ｍ〜１．４ｍ分高い位置に設けられている。
さらに、前記第三層１ｃは、上述のように、前記第二層１ｂよりも半階高い位置に設けられているため、前記床４ｂも、前記第三層１ｃの床よりも半階低い位置に設けられている。すなわち、この南側部屋４の床４ｂの高さ位置は、前記中庭２の床２ａおよび前記北側部屋３の床３ｂよりも低く設定されている。
【００４２】
前記外壁４ｃは、前記中庭２に面しており、前記第二層１ｂの床から前記屋根４ａまでの高さに設定されている。より詳細には、前記中庭２の床２ａの上方に設けられた床材２ｂの高さ位置から前記屋根４ａまでの高さに設定されている。
そして、この外壁４ｃの略中央に、前記採光窓４ｄが設けられている。この採光窓４ｄとしては、ガラス等の透光性を有する材料が用いられている。また、本参考例の採光窓４ｄは、開閉自在に構成されており、採光だけでなく、通風も可能となっている。
【００４３】
また、前記南側部屋４は、図１に示すように、前記屋根４ａの直下に設けられる天井４ｅと、この南側部屋４の南側外壁に設けられる窓４ｆと、を有する。前記天井４ｅは、前記屋根４ａの傾斜角度と略等しい傾斜角度に設定されている。また、前記窓４ｆは、開閉自在に構成されており、採光および通風が可能となっている。
なお、この窓４ｆは、前記採光窓４ｄと対向するように配置されている。すなわち、この窓４ｆが設けられる南側部屋４の南側外壁と、前記採光窓４ｄが設けられる外壁４ｃとが対向して配置されている。
【００４４】
次に、以上のような建物１における採光方法等について説明する。
日本では、太陽は、東の方角から昇り、南の空を通過して西へと沈む軌道を描くようにして移動するため、太陽光は南側から直射日光として降り注がれる。また、太陽光としては、このように南側から降り注がれる直射日光だけでなく、天空のあらゆる方向から地上に到達する天空光もある。したがって、建物１には、南側からの直射日光と天空光とを含む太陽光が降り注がれることになる。
本参考例においては、図１に示すように、太陽光を、前記北側部屋３の天窓３ｆや、前記中庭２の上部開放部、北側部屋３の採光窓３ｄ等から建物１内部に差し込ませることができる。
【００４５】
また、建物１に向かって降り注がれる太陽光のうち、前記北側部屋３の外壁３ｃに当たって反射する太陽光を、前記南側部屋４の採光窓４ｄから、この南側部屋４の内部に差し込ませることができる。また、この外壁３ｃには、前記反射手段５が設けられているので、太陽光を、前記南側部屋４の内部に確実かつ、より多く差し込ませることができる。
この時、前記南側部屋４の屋根４ａは、前記中庭２側が高い片流れ造りとされているので、前記外壁３ｃに反射する太陽光を、前記屋根４ａの軒先等に妨げられることなく、前記南側部屋４の内部にスムーズかつ確実に差し込ませることができる。
【００４６】
また、前記北側部屋３の外壁３ｃと、前記南側部屋４の外壁４ｃとは、双方とも前記中庭２に面するので、互いに対向して配置されることになる。したがって、これら外壁３ｃ，４ｃに設けられた採光窓３ｄ，４ｄを開けるとともに、これら採光窓３ｄ，４ｄと対向配置された関係にある窓３ｈおよび窓４ｆを開けることによって、建物１内に空気を取り込んで、前記北側部屋３と南側部屋４との間で通風させることが可能となる。
また、前記北側部屋３の屋根３ａに設けられた天窓３ｆも開けることによって、上方に向かう空気の流れを作ることができる。
このように建物１内に空気を取り込んで通風させることにより、建物１内の換気を促進できるとともに、暖気の排出を行うことができるので、気温が高い日における日中の室温の面で、前記北側部屋３および南側部屋４の双方の部屋の居住環境を良好にすることができる。
【００４７】
本参考例によれば、前記北側部屋３の外壁３ｃおよび採光窓３ｄは南向きに設けられ、前記南側部屋４の外壁４ｃおよび採光窓４ｄは北向きに設けられることになる。また、前記北側部屋３の屋根３ａおよび外壁３ｃは、前記南側部屋４に対して高い位置に配置され、前記南側部屋４は、前記北側部屋３および中庭２に対して低い位置に配置されることになる。したがって、南の空を通過する太陽の光を、前記南側部屋４の屋根４ａに妨げられることなく、前記北側部屋３の採光窓３ｄから、この北側部屋３の内部に差し込ませることができる。さらに、太陽光は、前記南側部屋４の屋根４ａに妨げられることなく、前記北側部屋３の外壁３ｃまで届きやすくなるので、この外壁３ｃに反射する太陽光を、前記南側部屋４の採光窓４ｄから、この南側部屋４の内部に差し込ませることができる。
また、前記南側部屋４の床４ｂの高さ位置は、前記中庭２の床２ａの高さ位置よりも低く設定されているため、前記中庭２に面する前記南側部屋４の外壁４ｃおよび採光窓４ｄは、この南側部屋４の中では比較的高い位置に設けられることになる。したがって、前記北側部屋３の外壁３ｃに反射する太陽光は、前記南側部屋４の、例えば天井４ｅ付近等の高い位置に差し込むことになるので、前記南側部屋４全体を効果的に明るくすることができる。
これによって、前記北側部屋３の採光性を向上させつつ、前記南側部屋４の採光性も向上させることができるので、日中の明るさや、冬期における日中の室温の面で、これら北側部屋３および南側部屋４の双方の部屋の居住環境を良好にすることが可能となる。
【００４８】
＜実施の形態＞
次に、図面を参照して本発明の実施の形態について説明する。
【００４９】
図４において符号３１は、建物を示す。この建物３１は、建物３１の一階に該当する第一層３１ａと、この第一層３１ａよりも半階高い位置に設けられる第二層３１ｂと、この第二層３１ｂよりも半階高い位置に設けられ、建物３１の二階に該当する第三層３１ｃとからなる二階建て三層構造のスキップフロア型住宅とされている。また、この建物３１の上部には屋根が設けられている。
また、本実施の形態の建物３１は、図４に示すように、上部が開放された中庭３２と、前記中庭３２の北側に配置される北側部屋３３と、前記中庭３２の南側に配置される南側部屋３４と、前記北側部屋３３の下方に設けられる下階部屋３５と、前記中庭２の下方に設けられる収納室３６と、を備える。
【００５０】
前記建物３１の上部の屋根は、北側が高く、南側が低い片流れ造りとされており、中央には、前記中庭３２の上部開放部が形成されている。
また、この屋根は、前記中庭３２を境にして北側に位置する北側の屋根と、南側に位置する南側の屋根とを有する。
なお、本実施の形態の建物３１の屋根の屋根面には、一面に、太陽電池モジュールが設置されている。
【００５１】
前記中庭３２は、図４に示すように、上部が上空に向かって開放されている。
また、この中庭３２は、下部に設けられる床３２ａを有する。床３２ａは、建物３１の第二層３１ｂを構成する床そのものであり、この床３２ａの上方には、中庭３２の歩行面を形成する床材３２ｂが設けられている。なお、この床材３２ｂと前記床３２ａとの間には隙間が形成されている。
【００５２】
前記北側部屋３３は、この北側部屋３３の上部の屋根３３ａと、下部の床３３ｂと、前記中庭３２に面する外壁３３ｃと、この外壁３３ｃに設けられる採光窓３３ｄと、この北側部屋３３の北側外壁に設けられる窓３３ｅと、を有する。
【００５３】
前記屋根３３ａは、前記北側の屋根のうち、特に前記北側部屋３３の上部に位置する部位を指している。この屋根３３ａの高さ位置は、後述する南側部屋３４の屋根３４ａの高さ位置よりも高く設定されている。
【００５４】
前記床３３ｂは、建物３１の第三層３１ｃを構成する床そのものであり、この第三層３１ｃは、前記第二層３１ｂよりも半階高い位置に設けられていることから、図４に示すように、前記中庭の床３２ａよりも半階高い位置に設けられている。
【００５５】
前記外壁３３ｃは、前記中庭３２に面しており、前記床３３ｂから前記屋根３３ａまでの高さに設定されている。
また、この外壁３３ｃの上部に、前記採光窓３３ｄが設けられている。この採光窓３３ｄとしては、ガラス等の透光性を有する材料が用いられている。また、本実施の形態の採光窓３３ｄは、開閉自在に構成されており、採光だけでなく、通風も可能となっている。
【００５６】
前記窓３３ｅは、開閉自在に構成されており、採光および通風が可能となっている。
なお、この窓３３ｅは、前記採光窓３３ｄと対向するように配置されている。すなわち、この窓３３ｅが設けられる北側部屋３３の北側外壁と、前記採光窓３３ｄが設けられる外壁３３ｃとが対向して配置されている。
【００５７】
また、前記外壁３３ｃの下部には、図４に示すように、太陽光を前記南側部屋３４に向かって反射させる反射手段３７が設けられている。
本実施の形態の反射手段３７は、光を反射しやすい性質を有するとともに前記外壁３３ｃの表面を化粧する外壁材とされている。その他、外壁塗装材や太陽電池モジュール等を用いてもよいものとする。さらに、この反射手段３７を介して、シースルー型太陽電池モジュールを、前記外壁３３ｃに設けるようにしてもよい。
【００５８】
前記南側部屋３４は、この南側部屋３４の上部の屋根３４ａと、下部の床３４ｂと、前記中庭３２に面する外壁３４ｃと、この外壁３４ｃに設けられる採光窓３４ｄと、この南側部屋３４の南側外壁に設けられる窓３４ｅと、を有する。
【００５９】
前記屋根３４ａは、前記南側の屋根のうち、特に前記南側部屋３４の上部に位置する部位を指している。この屋根３４ａの高さ位置は、前記北側部屋３３の屋根３３ａの高さ位置よりも低く設定されている。
【００６０】
前記床３４ｂは、建物３１の第一層３１ａを構成する床そのものであり、この第一層３１ａは、前記第二層３１ｂよりも半階低い位置に設けられるものである。したがって、前記床３４ｂは、図４に示すように、前記中庭の床３２ａよりも半階低い位置に設けられている。
【００６１】
前記外壁３４ｃは、前記中庭３２に面しており、前記第二層３１ｂの床から前記屋根３４ａまでの高さに設定されている。より詳細には、前記中庭３２の床３２ａの上方に設けられた床材３２ｂの高さ位置から前記屋根３４ａまでの高さに設定されている。
また、この外壁３４ｃの下部に、前記採光窓３４ｄが設けられている。この採光窓３４ｄとしては、ガラス等の透光性を有する材料が用いられている。また、本実施の形態の採光窓３４ｄは、開閉自在に構成されており、採光だけでなく、通風も可能となっている。
【００６２】
前記窓３４ｅは、開閉自在に構成されており、採光および通風が可能となっている。
なお、この窓３４ｅは、前記採光窓３４ｄと対向するように配置されている。すなわち、この窓３４ｅが設けられる南側部屋３４の南側外壁と、前記採光窓３４ｄが設けられる外壁３４ｃとが対向して配置されている。
【００６３】
前記下階部屋３５は、前記北側部屋３３の床３３ｂの直下に位置する天井３５ａと、前記中庭３２に面する外壁３５ｂと、この外壁３５ｂに設けられる採光窓３５ｃと、この下階部屋３５の北側外壁に設けられる窓３５ｄと、を有する。
前記外壁３５ｂは、前記中庭３２に面しており、前記第二層３１ｂの床から前記第三層３１ｃまでの高さに設定されている。より詳細には、前記中庭３２の床３２ａの上方に設けられた床材３２ｂの高さ位置から前記北側部屋３３の床３３ｂまでの高さに設定されている。
この外壁３５ｂのうち、前記天井３５ａよりも低く、前記中庭３２の床材３２ｂよりも高い位置に、前記採光窓３５ｃが設けられている。この採光窓３５ｃとしては、ガラス等の透光性を有する材料が用いられている。また、本実施の形態の採光窓３５ｃは、開閉自在に構成されており、採光だけでなく、通風も可能となっている。
前記窓３５ｄは、開閉自在に構成されており、採光および通風が可能となっている。
なお、この窓３５ｄは、前記採光窓３５ｃと対向するように配置されている。すなわち、この窓３５ｄが設けられる下階部屋３５の北側外壁と、前記採光窓３５ｃが設けられる外壁３５ｂとが対向して配置されている。
【００６４】
前記収納室３６は、第一層３１ａの床と第二層３１ｂの床３２ａとの間に設けられており、その天井高は、０．９ｍ〜１．４ｍに設定されている。
さらに、この収納室３６の北側には前記下階部屋３５が設けられており、南側には前記南側部屋３４が設けられている。また、これら収納室３６と、前記下階部屋３５および南側部屋３４との間には、それぞれ、戸が設けられた出入り口３６ａ，３６ｂが形成されている。
【００６５】
次に、以上のような建物３１における採光方法等について説明する。
前記建物３１において、前記北側部屋３３の屋根３３ａの高さ位置は、前記南側部屋３４の屋根３４ａの高さ位置よりも高く設定されており、前記南側部屋３４の床３４ｂの高さ位置は、前記中庭３２の床３２ａの高さ位置よりも低く設定されている。
したがって、本実施の形態においては、図４に示すように、太陽光を、前記中庭３２の上部開放部や、前記北側部屋３３の採光窓３３ｄ等から建物３１内部に差し込ませることができる。また、前記下階部屋３５の採光窓３５ｃからも、太陽光を建物３１内部に差し込ませることができる。
【００６６】
また、建物３１に向かって降り注がれる太陽光のうち、前記北側部屋３３の外壁３３ｃに当たって反射する太陽光を、前記南側部屋３４の採光窓３４ｄから、この南側部屋３４の内部に差し込ませることができる。また、この外壁３３ｃには、前記反射手段３７が設けられているので、太陽光を、前記南側部屋３４の内部に確実かつ、より多く差し込ませることができる。
【００６７】
また、前記北側部屋３３の外壁３３ｃに設けられた採光窓３３ｄを開けるとともに、この採光窓３３ｄと対向配置された関係にある窓３３ｅを開けることによって、北側部屋３３内に空気を取り込んで通風させることが可能となる。
また、前記南側部屋３４の外壁３４ｃに設けられた採光窓３４ｄを開けるとともに、この採光窓３４ｄと対向配置された関係にある窓３４ｅを開けることによって、南側部屋３４内に空気を取り込んで通風させることが可能となる。
また、前記下階部屋３５の外壁３５ｂに設けられた採光窓３５ｃを開けるとともに、この採光窓３５ｃと対向配置された関係にある窓３５ｄを開けることによって、下階部屋３５内に空気を取り込んで通風させることが可能となる。
さらに、前記南側部屋３４の窓３４ｅと、前記下階部屋３５の窓３５ｄと、前記収納室３６の出入り口３６ａ，３６ｂとを開けることによって、建物３１の一階全体に空気を取り込んで通風させることが可能となる。
このように建物３１内に空気を取り込んで通風させることにより、建物３１内の換気を促進できるとともに、暖気の排出を行うことができるので、気温が高い日における日中の室温の面で、前記北側部屋３３および南側部屋３４の双方の部屋の居住環境を良好にすることができる。
【００６８】
本実施の形態によれば、参考例と同じ効果を得ることができる。さらに、前記下階部屋３５の外壁３５ｂおよび採光窓３５ｃは、前記北側部屋３３の床３３ｂと前記中庭３２の床３２ａとの段差を利用して設けられているので、これら下階部屋３５の外壁３５ｂおよび採光窓３５ｃは、この下階部屋３５の中では比較的高い位置に設けられることになる。したがって、前記中庭３２に差し込む太陽光は、前記下階部屋３５の、例えば天井３５ａ付近等の高い位置に差し込むことになるので、前記下階部屋３５全体を効果的に明るくすることができる。
【符号の説明】
【００６９】
１，３１  建物
２，３２  中庭
２ａ，３２ａ  床
３，３３  北側部屋
３ａ，３３ａ  屋根
３ｂ，３３ｂ  床
３ｃ，３３ｃ  外壁
３ｄ，３３ｄ  採光窓
４，３４  南側部屋
４ａ，３４ａ  屋根
４ｂ，３４ｂ  床
４ｃ，３４ｃ  外壁
４ｄ，３４ｄ  採光窓
【図１】
0005762937.tif 000002
【図２】
0005762937.tif 000003
【図３】
0005762937.tif 000004
【図４】
0005762937.tif 000005